(57)【要約】  映像配信装置は、ディスプレイを構成する複数のディスプレイモジュールそれぞれに配信する１画面分の映像情報をディスプレイモジュールの１行の画素を示すラインのＮ倍（Ｎは１以上の整数）である出力ライン数分の映像情報に分割し、複数のディスプレイモジュールそれぞれについて出力ライン数分の映像情報を出力する分割部と、分割部から出力される出力ライン数分の映像情報と、出力ライン数分の映像情報の配信先であるディスプレイモジュールを示す制御情報とを複数のディスプレイモジュール分多重化した配信データを複数のディスプレイモジュールに繰り返し配信し、ディスプレイ１画面分の映像情報を配信する配信処理部と、を備えたので、ディスプレイコントローラが保持するメモリを低減することができる。
2017119095.tif 000002
【特許請求の範囲】
【請求項１】
ディスプレイを構成する複数のディスプレイモジュールそれぞれに配信する１画面分の映像情報を前記ディスプレイモジュールの１行の画素を示すラインのＮ倍（Ｎは１以上の整数）である出力ライン数分の映像情報に分割し、前記複数のディスプレイモジュールそれぞれについて前記出力ライン数分の映像情報を出力する分割部と、
前記分割部から出力される前記出力ライン数分の映像情報と、前記出力ライン数分の映像情報の配信先である前記ディスプレイモジュールを示す制御情報とを前記複数のディスプレイモジュール分多重化した配信データを前記複数のディスプレイモジュールに繰り返し配信し、前記ディスプレイ１画面分の映像情報を配信する配信処理部と、
を備えることを特徴とする映像配信装置。
【請求項２】
前記分割部は、前記複数のディスプレイモジュールそれぞれが有する前記ラインの数の比に応じて、各ディスプレイモジュール１画面分の映像情報を前記出力ライン数分の映像情報に分割することを特徴とする請求項１に記載の映像配信装置。
【請求項３】
前記分割部は、前記複数のディスプレイモジュールそれぞれが有する前記ラインの数の比とリフレッシュレートを示す周波数の比とに応じて、各ディスプレイモジュール１画面分の映像情報を前記出力ライン数分の映像情報に分割することを特徴とする請求項２に記載の映像配信装置。
【請求項４】
前記分割部は、前記複数のディスプレイモジュールそれぞれが有する前記ラインの数の比と画素の表示色数の比とに応じて、各ディスプレイモジュール１画面分の映像情報を前記出力ライン数分の映像情報に分割することを特徴とする請求項２または３に記載の映像配信装置。
【請求項５】
前記出力ライン数の値を前記複数のディスプレイモジュールそれぞれについて算出し、前記複数のディスプレイモジュールそれぞれの前記出力ライン数の値を保持する設定部を備え、
前記分割部は、前記設定部が保持する前記複数のディスプレイモジュールそれぞれの前記出力ライン数の値に基づいて１画面分の映像情報を分割することを特徴とする請求項２から４のいずれか一項に記載の映像配信装置。
【請求項６】
前記分割部は、前記複数のディスプレイモジュールのうちの１つのディスプレイモジュール１画面分の映像情報の途中で前記１つのディスプレイモジュールに対する前記出力ライン数の値を変更し、変更後の前記出力ライン数分の映像情報を出力することを特徴とする請求項１から５のいずれか一項に記載の映像配信装置。
【請求項７】
前記設定部は、前記出力ライン数の値の組み合わせと前記組み合わせで配信する配信回数とを対応付けたパターンを複数保持し、
前記分割部は、前記複数のディスプレイモジュールそれぞれについて、前記設定部が保持する複数の前記パターンに基づいて前記出力ライン数分の映像情報を出力し、
前記配信処理部は、複数の前記パターンそれぞれについて、前記パターンに対応付けられた前記複数のディスプレイモジュールそれぞれの前記出力ライン数分の映像情報を多重化した前記配信データの配信を前記パターンに対応付けられた前記配信回数の分行うことを特徴とする請求項５に記載の映像配信装置。
【請求項８】
前記ディスプレイモジュールが有する前記ラインの数を含む設定情報を受信する設定情報受信処理部を備え、
前記設定部は、前記設定情報受信処理部が受信した前記設定情報に基づいて設定された前記複数のディスプレイモジュールそれぞれの前記出力ライン数の値を保持することを特徴とする請求項５または７のいずれか一項に記載の映像配信装置。
【請求項９】
ディスプレイを構成する複数のディスプレイモジュールそれぞれに配信する１画面分の映像情報を前記ディスプレイモジュールの１行の画素を示すラインのＮ倍（Ｎは１以上の整数）である出力ライン数分の映像情報に分割するステップと、
前記複数のディスプレイモジュールそれぞれについて前記出力ライン数分の映像情報を出力するステップと、
前記出力ライン数分の映像情報と、前記出力ライン数分の映像情報の配信先である前記ディスプレイモジュールを示す制御情報とを前記複数のディスプレイモジュール分多重化した配信データを前記複数のディスプレイモジュールに繰り返し配信し、前記ディスプレイ１画面分の映像情報を配信するステップと、
を有する映像配信方法。
【請求項１０】
ディスプレイを構成するディスプレイモジュールの１行の画素を示すラインのＮ倍（Ｎは１以上の整数）の映像情報が多重化された、複数の前記ディスプレイモジュール宛の配信データから、自装置に接続された前記ディスプレイモジュール宛の映像情報を取り出し、取り出した前記映像情報を出力する映像情報受信処理部と、
前記映像情報受信処理部から入力された前記ディスプレイモジュール宛の映像情報を前記ディスプレイモジュールに応じた速度に調整して出力する調整部と、
前記調整部から入力された前記ディスプレイモジュール宛の映像情報を前記ディスプレイモジュールのインタフェースに応じた信号に変換し、変換した信号を前記ディスプレイモジュールに出力するディスプレイモジュールインタフェース部と、
前記配信データを前記映像情報受信処理部から受信し、他のディスプレイモジュールに再配信する映像情報送信処理部と、
を備えることを特徴とするディスプレイコントローラ。
【請求項１１】
前記ディスプレイモジュールが有する前記ラインの数を含む設定情報を保持し、前記設定情報を前記映像情報の配信元である映像配信装置宛に送信する設定情報送信処理部を備えることを特徴とする請求項１０に記載のディスプレイコントローラ。
【請求項１２】
他の前記ディスプレイモジュールから受信した前記他のディスプレイモジュールの前記設定情報を出力する設定情報受信処理部を備え、
前記設定情報送信処理部は、前記設定情報受信処理部から入力された前記他のディスプレイモジュールの前記設定情報を前記映像配信装置宛に転送することを特徴とする請求項１１に記載のディスプレイコントローラ。
【請求項１３】
ディスプレイを構成するディスプレイモジュールの１行の画素を示すラインのＮ倍（Ｎは１以上の整数）の映像情報が多重化された、複数の前記ディスプレイモジュール宛の配信データから、前記ディスプレイモジュール宛の映像情報を取り出すステップと、
取り出した前記映像情報を出力するステップと、
前記ディスプレイモジュール宛の映像情報を前記ディスプレイモジュールに応じた速度に調整して出力するステップと、
前記ディスプレイモジュール宛の映像情報を前記ディスプレイモジュールのインタフェースに応じた信号に変換し、変換した信号を前記ディスプレイモジュールに出力するステップと、
前記配信データを他のディスプレイモジュールに再配信するステップと、
を有する映像配信方法。
【請求項１４】
ディスプレイを構成する複数のディスプレイモジュールそれぞれに配信する１画面分の映像情報を前記ディスプレイモジュールの１行の画素を示すラインのＮ倍（Ｎは１以上の整数）である出力ライン数分の映像情報に分割し、前記複数のディスプレイモジュールそれぞれについて前記出力ライン数分の映像情報を出力する分割部と、
前記分割部から出力される前記出力ライン数分の映像情報と、前記出力ライン数分の映像情報の配信先である前記ディスプレイモジュールを示す制御情報とを前記複数のディスプレイモジュール分多重化した配信データを前記複数のディスプレイモジュールに繰り返し配信し、前記ディスプレイ１画面分の映像情報を配信する配信処理部と、
を備える映像配信装置と、
前記配信データから、自装置に接続された前記ディスプレイモジュール宛の映像情報を取り出し、取り出した前記映像情報を出力する映像情報受信処理部と、
前記映像情報受信処理部から入力された前記自装置に接続されたディスプレイモジュール宛の映像情報を前記自装置に接続されたディスプレイモジュールに応じた速度に調整して出力する調整部と、
前記調整部から入力された前記自装置に接続されたディスプレイモジュール宛の映像情報を前記自装置に接続されたディスプレイモジュールのインタフェースに応じた信号に変換し、変換した信号を前記自装置に接続されたディスプレイモジュールに出力するディスプレイモジュールインタフェース部と、
前記配信データを前記映像情報受信処理部から受信し、他のディスプレイモジュールに再配信する映像情報送信処理部と、
を備えるディスプレイコントローラと、
を備えることを特徴とする映像配信システム。
【発明の詳細な説明】
【技術分野】
【０００１】
本発明は、ディスプレイを構成する複数のディスプレイモジュールに映像情報を配信する技術に関する。
【背景技術】
【０００２】
駅、工場、病院、銀行といった屋内外において、身近な表示器として液晶、有機ＥＬ（Ｅｌｅｃｔｒｏ  Ｌｕｍｉｎｅｓｃｅｎｃｅ）および無機ＥＬの種々のディスプレイが使用されている。使用用途の広がりに合わせて、ディスプレイは多様化している。また、ディスプレイは量産化に伴い安価に入手が可能な品種もある。【０００３】
一方、産業機器向けにディスプレイを用いる場合には、デバイスが継続的に供給されること、およびメンテナンスのしやすさが重要な要素である。頻繁に機種が変更される場合またはデバイスが継続的に供給されない場合には、設計のやり直しまたはデバイスの交換が必要となるため、長期的にはコストが高くなってしまう。
他方、表示したい情報量は増加しており、画面の大型化への要求が高まっている。【０００４】
ディスプレイは、機器の表示部として用いられる場合、製品としてのディスプレイと区別してディスプレイモジュールと呼ばれることがある。例えばＬＣＤ（Ｌｉｑｕｉｄ  Ｃｒｙｓｔａｌ  Ｄｉｓｐｌａｙ）の場合、ディスプレイモジュールは、表示データを表示するパネルとパネルに電気信号を供給する駆動回路を備えている。様々なディスプレイモジュールが市販されている。市販のディスプレイモジュールを機器の表示部として用いる場合、設計のやり直しまたはディスプレイモジュールの交換が必要となっても容易に対応できるように、ディスプレイモジュールとのインタフェースの違いをディスプレイコントローラで吸収するように構成する技術が非特許文献１に開示されている。ディスプレイコントローラは機器から入力された表示データを内部または外部のメモリに蓄積し、ディスプレイモジュールの仕様にあわせて表示データをディスプレイモジュールに入力する（下記非特許文献１）。【０００５】
また、ディスプレイモジュールに対応する表示ユニットを複数台使用することにより画面を大型化する技術が特許文献１に開示されている。特許文献１では、映像表示装置が大型画面を構成する複数の表示ユニットに対して、大型画面全体の表示データから表示ユニットに表示するデータを取り出し、当該表示ユニットを識別する位置番号を付与した表示データを表示ユニットに送信している。（下記特許文献１参照）。
【先行技術文献】
【非特許文献】
【０００６】
【非特許文献１】トランジスタ技術編集部編、「グラフィック表示モジュール応用製作集」、ＣＱ出版社、２０１２年１０月１５日、ｐ．１７８−１７９
【特許文献】
【０００７】
【特許文献１】特開２００２−３１１９３２号公報
【発明の概要】
【発明が解決しようとする課題】
【０００８】
しかしながら、特許文献１では、映像表示装置が表示ユニットに対して１画面ごとに表示データを送信するので、表示ユニットは表示ユニット分のデータを保持するメモリを設ける必要があり、表示ユニットが大きくなると大きなメモリが必要になるという問題点があった。なお、非特許文献１に、ディスプレイコントローラのメモリを低減する方法については開示されていない。【０００９】
本発明は上記のような問題点を解決するためになされたもので、ディスプレイコントローラが保持するメモリを低減する映像配信装置を得ることを目的としている。
【課題を解決するための手段】
【００１０】
ディスプレイを構成する複数のディスプレイモジュールそれぞれに配信する１画面分の映像情報をディスプレイモジュールの１行の画素を示すラインのＮ倍（Ｎは１以上の整数）である出力ライン数分の映像情報に分割し、複数のディスプレイモジュールそれぞれについて出力ライン数分の映像情報を出力する分割部と、分割部から出力される出力ライン数分の映像情報と、出力ライン数分の映像情報の配信先であるディスプレイモジュールを示す制御情報とを複数のディスプレイモジュール分多重化した配信データを複数のディスプレイモジュールに繰り返し配信し、ディスプレイ１画面分の映像情報を配信する配信処理部と、を備えた。【００１１】
ディスプレイを構成する複数のディスプレイモジュールそれぞれに配信する１画面分の映像情報をディスプレイモジュールの１行の画素を示すラインのＮ倍（Ｎは１以上の整数）である出力ライン数分の映像情報に分割するステップと、複数のディスプレイモジュールそれぞれについて出力ライン数分の映像情報を出力するステップと、出力ライン数分の映像情報と、出力ライン数分の映像情報の配信先であるディスプレイモジュールを示す制御情報とを複数のディスプレイモジュール分多重化した配信データを複数のディスプレイモジュールに繰り返し配信し、ディスプレイ１画面分の映像情報を配信するステップと、を有する。【００１２】
ディスプレイを構成するディスプレイモジュールの１行の画素を示すラインのＮ倍（Ｎは１以上の整数）の映像情報が多重化された、複数のディスプレイモジュール宛の配信データから、自装置に接続されたディスプレイモジュール宛の映像情報を取り出し、取り出した映像情報を出力する映像情報受信処理部と、映像情報受信処理部から入力されたディスプレイモジュール宛の映像情報をディスプレイモジュールに応じた速度に調整して出力する調整部と、調整部から入力されたディスプレイモジュール宛の映像情報をディスプレイモジュールのインタフェースに応じた信号に変換し、変換した信号をディスプレイモジュールに出力するディスプレイモジュールインタフェース部と、配信データを映像情報受信処理部から受信し、他のディスプレイモジュールに再配信する映像情報送信処理部と、を備えた。【００１３】
ディスプレイを構成するディスプレイモジュールの１行の画素を示すラインのＮ倍（Ｎは１以上の整数）の映像情報が多重化された、複数のディスプレイモジュール宛の配信データから、ディスプレイモジュール宛の映像情報を取り出すステップと、取り出した映像情報を出力するステップと、ディスプレイモジュール宛の映像情報をディスプレイモジュールに応じた速度に調整して出力するステップと、ディスプレイモジュール宛の映像情報をディスプレイモジュールのインタフェースに応じた信号に変換し、変換した信号をディスプレイモジュールに出力するステップと、配信データを他のディスプレイモジュールに再配信するステップと、を有する。【００１４】
ディスプレイを構成する複数のディスプレイモジュールそれぞれに配信する１画面分の映像情報をディスプレイモジュールの１行の画素を示すラインのＮ倍（Ｎは１以上の整数）である出力ライン数分の映像情報に分割し、複数のディスプレイモジュールそれぞれについて出力ライン数分の映像情報を出力する分割部と、分割部から出力される出力ライン数分の映像情報と、出力ライン数分の映像情報の配信先であるディスプレイモジュールを示す制御情報とを複数のディスプレイモジュール分多重化した配信データを複数のディスプレイモジュールに繰り返し配信し、ディスプレイ１画面分の映像情報を配信する配信処理部と、を備える映像配信装置と、配信データから、自装置に接続されたディスプレイモジュール宛の映像情報を取り出し、取り出した映像情報を出力する映像情報受信処理部と、映像情報受信処理部から入力された自装置に接続されたディスプレイモジュール宛の映像情報を自装置に接続されたディスプレイモジュールに応じた速度に調整して出力する調整部と、調整部から入力された自装置に接続されたディスプレイモジュール宛の映像情報を自装置に接続されたディスプレイモジュールのインタフェースに応じた信号に変換し、変換した信号を自装置に接続されたディスプレイモジュールに出力するディスプレイモジュールインタフェース部と、配信データを映像情報受信処理部から受信し、他のディスプレイモジュールに再配信する映像情報送信処理部と、を備えるディスプレイコントローラと、を備えた。
【発明の効果】
【００１５】
本発明によれば、ディスプレイコントローラが保持するメモリを低減することができる。
【図面の簡単な説明】
【００１６】
【図１】実施の形態１に係る映像配信システムの構成の一例を示すブロック図。
【図２】実施の形態１に係る映像配信装置の機能構成の一例を示すブロック図。
【図３】実施の形態１に係るディスプレイユニットの機能構成の一例を示すブロック図。
【図４】実施の形態１に係るディスプレイユニットの機能構成の一例を示すブロック図。
【図５】実施の形態１に係るディスプレイモジュールにより構成されるディスプレイの一例を示す模式図。
【図６】実施の形態１に係るＷＶＧＡおよびＱＶＧＡの画素数を示す模式図。
【図７】実施の形態１に係る映像配信装置のハードウェア構成の一例を示すブロック図。
【図８】実施の形態１に係るディスプレイユニットのディスプレイコントローラおよびディスプレイモジュールのハードウェア構成の一例を示すブロック図。
【図９】実施の形態１に係る設定部が保持するディスプレイモジュールの設定情報の一例を示す模式図。
【図１０】実施の形態１に係る分割部の処理を示すフローチャート。
【図１１】実施の形態１に係るディスプレイモジュールへの映像情報の配信順序を示す模式図。
【図１２】実施の形態１に係る配信処理部が保持するキューの一例を示す模式図。
【図１３】実施の形態１に係る配信処理部が保持するキューの一例を示す模式図。
【図１４】実施の形態１に係る調整部が映像情報の速度を調整する処理を示す模式図。
【図１５】実施の形態１に係る複数のディスプレイモジュールにより構成されるディスプレイの例を示す模式図。
【図１６】実施の形態１に係る複数のディスプレイモジュールにより構成されるディスプレイの接続順序を示す模式図。
【図１７】実施の形態１に係る映像配信システムの構成の一例を示すブロック図。
【図１８】実施の形態１に係る画面モードの仕様を示すテーブルの模式図。
【図１９】実施の形態２に係る画面モードの仕様を示すテーブルの模式図。
【図２０】実施の形態２に係るディスプレイモジュールを組み合わせたディスプレイの一例を示す模式図。
【図２１】実施の形態２に係る映像配信装置が配信する信号を示す模式図。
【図２２】実施の形態２に係る映像配信システムの構成の一例を示すブロック図。
【図２３】実施の形態２に係る映像配信装置の機能構成の一例を示すブロック。
【図２４】実施の形態２に係るディスプレイユニットの機能構成の一例を示すブロック図。
【図２５】実施の形態２に係るディスプレイユニットの機能構成の一例を示すブロック図。
【図２６】実施の形態２に係る設定部が保持するディスプレイモジュールの設定情報の一例を示す模式図。
【図２７】実施の形態２に係る分割部の処理を示すフローチャート。
【図２８】実施の形態２に係る映像配信装置が配信する信号を示す模式図。
【図２９】実施の形態３に係る設定部が保持するディスプレイモジュールの設定情報の一例を示す模式図。
【図３０】実施の形態４に係る映像配信システムの構成の一例を示すブロック図。
【図３１】実施の形態４に係る映像配信装置の機能構成の一例を示すブロック図。
【図３２】実施の形態４に係るディスプレイユニットの機能構成の一例を示すブロック図。
【図３３】実施の形態４に係るディスプレイユニットの機能構成の一例を示すブロック図。
【発明を実施するための形態】
【００１７】
以下この発明の実施の形態を、図を参照して説明する。なお、参照する図において同一もしくは相当する部分には同一の符号を付している。
実施の形態１．
本実施の形態では、複数の異なるディスプレイモジュールを組み合わせて凹形のディスプレイを実現する場合を例に説明する。
図１は、実施の形態１に係る映像配信システム１の構成の一例を示すブロック図である。映像配信システム１は、映像配信装置２およびディスプレイユニット３ａ〜ｆを備えている。映像配信装置２は、ディスプレイユニット３ａ〜ｆに映像情報を配信する。
【００１８】
図２は、実施の形態１に係る映像配信装置２の機能構成の一例を示すブロック図である。映像配信装置２は、設定部１１、分割部１２、配信処理部１３および映像情報送信処理部１４ａ〜ｃを備えている。映像配信装置２はディスプレイユニットと接続する物理的なコネクタの数に応じて３個の映像情報送信処理部１４ａ〜ｃを備えている。図１の映像配信システム１に示したようにディスプレイユニット３ａ〜ｆは１列に接続されており、ディスプレイユニット３ａが映像情報送信処理部１４ａに接続している。映像情報送信処理部１４ｂ〜ｃは接続するディスプレイユニットがないため、処理を行わない。映像配信装置２が備える映像情報送信処理部１４ｂ〜ｃの数は、ディスプレイユニットと接続する物理的なコネクタの数に応じて決定される。
【００１９】
設定部１１は、ディスプレイユニット３ａ〜ｆが備えるディスプレイモジュールの設定情報と配置情報を保持している。ディスプレイモジュールの設定情報と配置情報の説明は後述する。分割部１２は、ディスプレイモジュールの設定情報に基づいて、入力された映像情報を分割し、ディスプレイユニット３ａ〜ｆに１制御周期あたりに配信する映像情報を配信処理部１３に出力する。配信処理部１３は、ディスプレイモジュールの配置情報に基づいて、ディスプレイユニット３ａ〜ｆに１制御周期あたりに配信する映像情報を多重化した配信データを映像情報送信処理部１４ａに出力する。映像情報送信処理部１４ａは、配信データを信号処理して送信信号に変換し、送信信号をディスプレイユニット３ａ〜ｆに送信する。１制御周期は、複数のディスプレイユニットに配信する映像情報が多重化された１つの配信データを配信する期間である。配信データの大きさにより、１制御周期の時間は変わる。各機能部の詳細は後述する。
【００２０】
図３は、実施の形態１に係るディスプレイユニット３ａの機能構成の一例を示すブロック図である。ディスプレイユニット３ａは、ディスプレイコントローラ２１ａおよびディスプレイモジュール２６ａを備えている。ディスプレイコントローラ２１ａは、映像情報受信処理部２２ａ、映像情報送信処理部２３ａ、調整部２４ａ、およびディスプレイモジュールインタフェース部２５ａを備えている。ディスプレイユニット３ｆの構成は、ディスプレイユニット３ａと同様であるが、ディスプレイモジュールの符号は２６ｂとする。
【００２１】
映像情報受信処理部２２ａは、映像配信装置２が送信した送信信号を受信して信号処理し、１制御周期あたりの映像情報が多重化された配信データを映像情報送信処理部２３ａおよび調整部２４ａに出力する。映像情報送信処理部２３ａは配信データを信号処理して送信信号に変換し、送信信号を隣のディスプレイユニット３ｂに送信する。調整部２４ａは、配信データからディスプレイモジュール２６ａ宛の映像情報を取り出し、取り出した映像情報の速度を調整し、調整後の映像情報をディスプレイモジュールインタフェース部２５ａに出力する。ディスプレイモジュールインタフェース部２５ａは、調整部２４ａから入力された映像情報をディスプレイモジュール２６ａの仕様に応じた映像信号に変換し、映像信号をディスプレイモジュール２６ａに出力する。各機能部の詳細は後述する。
【００２２】
図４は、実施の形態１に係るディスプレイユニット３ｂの機能構成の一例を示すブロック図である。ディスプレイユニット３ｂは、ディスプレイコントローラ２１ｂおよびディスプレイモジュール２７ａを備えている。ディスプレイコントローラ２１ｂは、映像情報受信処理部２２ｂ、映像情報送信処理部２３ｂ、調整部２４ｂ、およびディスプレイモジュールインタフェース部２５ｂを備えている。ディスプレイユニット３ｂの構成は、ディスプレイユニット３ａと同様である。ディスプレイユニット３ｂ〜ｅの構成は、ディスプレイユニット３ｂと同様であるが、ディスプレイモジュールの符号は２７ｂ〜ｄとする。
【００２３】
ディスプレイモジュール２６ａ〜ｂ、２７ａ〜ｄは、パネルとパネルに対して電気信号を供給する駆動回路とを備えている。パネルは入力された映像情報を表示する。
【００２４】
図５は、実施の形態１に係るディスプレイモジュール２６ａ〜ｂ、２７ａ〜ｄにより構成されるディスプレイ３０の一例を示す模式図である。ディスプレイ３０は、ディスプレイモジュール２６ａ〜ｂ、２７ａ〜ｄにより構成される凹型のディスプレイである。ディスプレイモジュール２６ａ〜ｂのディスプレイモードは、ＷＶＧＡ（Ｗｉｄｅ  Ｖｉｄｅｏ  Ｇｒａｐｈｉｃｓ  Ａｒｒａｙ）である。ディスプレイモジュール２７ａ〜ｄのディスプレイモードは、ＱＶＧＡ（Ｑｕａｒｔｅｒ  Ｖｉｄｅｏ  Ｇｒａｐｈｉｃｓ  Ａｒｒａｙ）である。ディスプレイ３０は、ディスプレイモジュール２６ａ、２７ａ〜ｄ、ディスプレイモジュール２６ｂの順に配置されている。
【００２５】
図６は、実施の形態１に係るＷＶＧＡおよびＱＶＧＡの画素数を示す模式図である。（ａ）はＷＶＧＡの画素数を示す模式図、（ｂ）はＱＶＧＡの画素数を示す模式図である。画素数は、ＷＶＧＡが横８００ピクセル×縦４８０ピクセル、ＱＶＧＡが横３２０ピクセル×縦２４０ピクセルである。
【００２６】
図７は、実施の形態１に係る映像配信装置２のハードウェア構成の一例を示すブロック図である。映像配信装置２は、メモリ３１、プロセッサ３２および通信インタフェース３３を備えている。
メモリ３１は、設定部１１、分割部１２、配信処理部１３、および映像情報送信処理部１４ａ〜ｃの各機能を実現するためのプログラム及びデータを記憶する。メモリ３１は、例えば、ＲＯＭ（Ｒｅａｄ  Ｏｎｌｙ  Ｍｅｍｏｒｙ）、ＲＡＭ（Ｒａｎｄｏｍ  Ａｃｃｅｓｓ  Ｍｅｍｏｒｙ）、ＨＤＤ（Ｈａｒｄ  Ｄｉｓｋ  Ｄｒｉｖｅ）、またはＳＳＤ（Ｓｏｌｉｄ  Ｓｔａｔｅ  Ｄｒｉｖｅ）で構成される。
【００２７】
プロセッサ３２は、メモリ３１に記憶されたプログラム及びデータを読み出し、設定部１１、分割部１２、配信処理部１３、および映像情報送信処理部１４ａ〜ｃの各機能を実現する。プロセッサ３２は、メモリ３１に記憶されたプログラムを実行するＣＰＵ、システムＬＳＩ（Ｌａｒｇｅ  Ｓｃａｌｅ  Ｉｎｔｅｇｒａｔｉｏｎ）等の処理回路により、実現される。
なお、複数の処理回路が連携して、設定部１１、分割部１２、配信処理部１３、および映像情報送信処理部１４ａ〜ｃの機能を実行するように構成してもよい。
通信インタフェース３３は、映像情報送信処理部１４ａ〜ｃの機能を実現する。
【００２８】
図８は、実施の形態１に係るディスプレイユニット３ａのディスプレイコントローラ２１ａおよびディスプレイモジュール２６ａのハードウェア構成の一例を示すブロック図である。ディスプレイコントローラ２１ａは、メモリ３４、プロセッサ３５および通信インタフェース３６を備えている。ディスプレイモジュール２６ａは、パネル３７および駆動回路３８を備えている。
メモリ３４は、映像情報受信処理部２２ａ、映像情報送信処理部２３ａ、調整部２４ａ、およびディスプレイモジュールインタフェース部２５ａの各機能を実現するためのプログラム及びデータを記憶する。メモリ３４は、例えば、ＲＯＭ（Ｒｅａｄ  Ｏｎｌｙ  Ｍｅｍｏｒｙ）、ＲＡＭ（Ｒａｎｄｏｍ  Ａｃｃｅｓｓ  Ｍｅｍｏｒｙ）、ＨＤＤ（Ｈａｒｄ  Ｄｉｓｋ  Ｄｒｉｖｅ）、またはＳＳＤ（Ｓｏｌｉｄ  Ｓｔａｔｅ  Ｄｒｉｖｅ）で構成される。
【００２９】
プロセッサ３５は、メモリ３４に記憶されたプログラム及びデータを読み出し、映像情報受信処理部２２ａ、映像情報送信処理部２３ａ、調整部２４ａ、およびディスプレイモジュールインタフェース部２５ａの各機能を実現する。プロセッサ３５は、メモリ３４に記憶されたプログラムを実行するＣＰＵ、システムＬＳＩ（Ｌａｒｇｅ  Ｓｃａｌｅ  Ｉｎｔｅｇｒａｔｉｏｎ）等の処理回路により、実現される。
なお、複数の処理回路が連携して、映像情報受信処理部２２ａ、映像情報送信処理部２３ａ、調整部２４ａ、およびディスプレイモジュールインタフェース部２５ａの機能を実行するように構成してもよい。また、ディスプレイコントローラ２１ａは、ＦＰＧＡ（Ｆｉｅｌｄ−Ｐｒｏｇｒａｍｍａｂｌｅ  Ｇａｔｅ  Ａｒｒａｙ）で映像情報受信処理部２２ａ、映像情報送信処理部２３ａ、調整部２４ａ、およびディスプレイモジュールインタフェース部２５ａの機能を実現してもよい。
通信インタフェース３６は、映像情報受信処理部２２ａ、映像情報送信処理部２３ａの機能を実現する。
【００３０】
ディスプレイモジュール２６ａの駆動回路３８は、ディスプレイコントローラ２１ａから出力された電気信号をパネル３７に出力し、パネル３７は電気信号の指示に応じて映像情報を表示する。
ディスプレイユニット３ｂ〜ｆのハードウェア構成は、ディスプレイユニット３ａと同じである。
【００３１】
次に、映像配信装置２の動作について説明する。
図９は、実施の形態１に係る設定部１１が保持するディスプレイモジュールの設定情報４１の一例を示す模式図である。ディスプレイモジュールの設定情報４１では、ディスプレイモジュールの識別子、モード、画面の向き、解像度、表示色数、周波数および出力ライン数が対応付けられている。ラインは、ディスプレイモジュールの１行分の複数の画素から成る単位である。周波数はリフレッシュレートを示す。出力ライン数は、１制御周期あたりに出力するライン数である。出力ライン数の値は、１以上の整数Ｎである。設定情報４１では、１制御周期につき映像配信装置２からディスプレイモジュール２６ａ〜ｂに対して２ライン分、ディスプレイモジュール２７ａ〜ｄに対して１ライン分の映像情報を送信することを示している。
【００３２】
ＷＶＧＡとＱＶＧＡは、表示色数がともに２４ｂｉｔ、周波数がともに６０Ｈｚである。よって、映像配信装置２からディスプレイモジュール２６ａ〜ｂ、２７ａ〜ｄに送信する１制御周期あたりの映像情報の情報量は、ライン数の比に基づいて決定される。ディスプレイモジュール２６ａ〜ｂ、２７ａ〜ｄは、すべて向きが横であるため、ディスプレイモジュール２６ａ〜ｂのライン数は４８０、ディスプレイモジュール２７ａ〜ｄのライン数は２４０である。ＷＶＧＡとＱＶＧＡのライン数の比は２：１のため、ディスプレイモジュール２６ａ〜ｂの出力ライン数は２、ディスプレイモジュール２７ａ〜ｄの出力ライン数は１と設定される。設定情報４１の出力ライン数は、あらかじめユーザによって設定される。
【００３３】
また、設定部１１は、映像配信装置２に接続されているディスプレイユニットの数、ディスプレイモジュールの数、ディスプレイモジュールの配置情報を保持している。ディスプレイユニットは６台、ディスプレイモジュールは６台である。ディスプレイモジュールの配置情報は、ディスプレイモジュール２６ａ〜ｂ、２７ａ〜ｄが映像配信装置２に近い方から２６ａ、２７ａ、２７ｂ、２７ｃ、２７ｄ、２６ｂの順に配置されていることを示す情報である。
【００３４】
図１０は、実施の形態１に係る分割部１２の処理を示すフローチャートである。分割部１２には、ディスプレイモジュール２６ａ〜ｂ、２７ａ〜ｄに表示する映像情報がディスプレイモジュール２６ａ〜ｂ、２７ａ〜ｄの識別子とともに入力される。分割部１２は入力された映像情報をメモリに蓄積し、映像情報を１画面分ずつ処理する。分割部１２は、映像情報が入力されるとステップＳ１１より処理を開始する。
ステップＳ１１において、分割部１２は、ディスプレイモジュールの情報を取得済みか判定する。取得済みでなければ処理はステップＳ１２に進む。取得済みであれば処理はステップＳ１４に進む。
ステップＳ１２において、分割部１２は、設定部１１からディスプレイユニットの台数、ディスプレイモジュールの台数、ディスプレイモジュールの配置情報、およびディスプレイモジュール２６ａ〜ｂ、２７ａ〜ｄの設定情報４１を取得する。ディスプレイモジュールの配置情報は、ディスプレイモジュール２６ａ〜ｂ、２７ａ〜ｄが映像配信装置２に近い方から２６ａ、２７ａ、２７ｂ、２７ｃ、２７ｄ、２６ｂの順に配置されていることを、ディスプレイモジュール２６ａ〜ｂ、２７ａ〜ｄの識別子の順序で示す情報である。
【００３５】
ステップＳ１３において、分割部１２は、設定情報４１からディスプレイモジュール２６ａ〜ｂ、２７ａ〜ｄの出力ライン数を取得する。
ステップＳ１４において、分割部１２は、入力された映像情報から出力ライン数分の映像情報を配信先のディスプレイモジュールの識別子と対応付けて配信処理部１３に出力する。出力ライン数分の映像情報は、ラインのＮ倍（Ｎは１以上の整数）のデータ量である。分割部１２は、１制御周期につき、ディスプレイモジュール２６ａ〜ｂに対して２ライン分、ディスプレイモジュール２７ａ〜ｄに対して１ライン分の映像情報を配信処理部１３に出力する。
【００３６】
図１１は、実施の形態１に係るディスプレイモジュール２６ａ〜ｂ、２７ａ〜ｄへの映像情報の配信順序を示す模式図である。配信処理部１３は、ディスプレイモジュール２６ａの２ライン分、ディスプレイモジュール２７ａの１ライン分、ディスプレイモジュール２７ｂの１ライン分、ディスプレイモジュール２７ｃの１ライン分、ディスプレイモジュール２７ｄの１ライン分、ディスプレイモジュール２６ｂの２ライン分の映像情報を順に配信する。配信処理部１３は、図１１に示すようにディスプレイモジュール２６ａ〜ｂ、２７ａ〜ｄに繰り返し映像情報を配信する。
【００３７】
図１０の分割部１２のフローチャートの説明に戻る。
ステップＳ１５において、分割部１２は、１画面分の映像情報を出力したか判定する。１画面分の映像情報を出力していない場合、ステップＳ１４に進む。分割部１２は、ディスプレイモジュール２６ａ〜ｂ、２７ａ〜ｄの１画面分の映像情報の配信が終わるまで、ステップＳ１４〜Ｓ１５の処理を繰り返す。１画面分の映像情報を出力した場合、ステップＳ１６に進む。
ステップＳ１６において、分割部１２は、次の画面の映像情報があるか判定する。次の画面の映像情報があれば処理はステップＳ１４に進む。次の画面の映像情報がなければ処理は終了する。
【００３８】
図１２は、実施の形態１に係る配信処理部１３が保持するキュー５１ａ〜ｂ、５２ａ〜ｄの一例を示す模式図である。配信処理部１３は、ディスプレイモジュール２６ａ〜ｂ、２７ａ〜ｄの配置情報に応じて、６個のキューを保持している。キュー５１ａ〜ｂ、５２ａ〜ｄはＦＩＦＯ（Ｆｉｒｓｔ  Ｉｎ  Ｆｉｒｓｔ  Ｏｕｔ）キューである。キュー５１ａ〜ｂ、５２ａ〜ｄは、１制御周期分の映像情報を保持できる。
【００３９】
キュー５１ａはディスプレイモジュール２６ａ用のＦＩＦＯキューである。ディスプレイモジュール２６ａには、１制御周期あたり２ライン分の映像情報を送信するため、キュー５１ａは８００ピクセル×２ライン×２４ｂｉｔのデータを保持することができる。キュー５１ｂはディスプレイモジュール２６ｂ用のＦＩＦＯキューであり、保持できるデータ量はキュー５１ａと同じである。
キュー５２ａはディスプレイモジュール２７ａ用のＦＩＦＯキューである。ディスプレイモジュール２７ａには、１制御周期あたり１ライン分の映像情報を送信するため、キュー５１ａは５２０ピクセル×１ライン×２４ｂｉｔのデータを保持することができる。キュー５２ｂ〜ｄはディスプレイモジュール２７ｂ〜ｄ用のＦＩＦＯキューであり、保持できるデータ量はキュー５２ａと同じである。
【００４０】
配信処理部１３は、映像配信装置２に近いディスプレイモジュール宛の映像情報から順に多重化した配信データを生成する。配信処理部１３は、ディスプレイモジュール２６ａ〜ｂ、２７ａ〜ｄの配置情報よりディスプレイモジュール２６ａ〜ｂ、２７ａ〜ｄが映像配信装置２に近い方からディスプレイモジュール２６ａ、２７ａ、２７ｂ、２７ｃ、２７ｄ、２６ｂの順に配置されていることを把握している。配信処理部１３は、ディスプレイモジュール２６ａ、２７ａ、２７ｂ、２７ｃ、２７ｄ、２６ｂそれぞれに対応するキュー５１ａ、５２ａ、５２ｂ、５２ｃ、５２ｄ、５１ｂから順に映像情報を取り出し、取り出した映像情報を順に多重化した配信データを生成する。また、配信処理部１３は、配信先のディスプレイモジュールの識別子およびライン番号、画面同期信号を制御情報として配信データに多重化する。配信処理部１３は、生成した配信データを映像情報送信処理部１４ａに出力する。
【００４１】
映像情報送信処理部１４ａは、配信データを信号処理して送信信号に変換し、送信信号をディスプレイユニット３ａに出力する。映像情報送信処理部１４ａは、信号処理として、配信データの暗号化、誤り訂正符号化処理、物理層のプロトコルに対応した変換処理、およびシリアル転送方式８ｂ／１０ｂに応じた変換処理を行う。映像情報送信処理部１４ａは、物理媒体に応じて送信信号を出力する。物理層のプロトコルはイーサネット（登録商標）、物理媒体は光ケーブルとする。
【００４２】
次に、ディスプレイユニット３ａの動作について説明する。
映像情報受信処理部２２ａは、映像配信装置２の映像情報送信処理部１４ａから送信された送信信号を受信し、８ｂ／１０ｂに対応した変換処理、イーサネット（登録商標）に対応した変換処理、誤り訂正符号化処理および暗号の復号処理を行い、制御情報および映像情報を含む配信データを取り出す。映像情報受信処理部２２ａは、配信データの制御情報を参照し、自ディスプレイユニット内のディスプレイモジュール２６ａ宛の映像情報があれば、ディスプレイモジュール２６ａ宛の映像情報および制御情報を調整部２４ａに出力する。また、映像情報受信処理部２２ａは、受信した配信データを映像情報送信処理部２３ａに出力する。映像情報送信処理部２３ａは、信号処理として、送信データの暗号化、誤り訂正符号化処理、物理層のプロトコルに対応した変換処理、およびシリアル転送方式８ｂ／１０ｂに応じた変換処理を行い、配信データを送信信号に変換する。映像情報送信処理部２３ａは、送信信号をディスプレイユニット３ｂに送信する。配信データの容量が大きければ、映像情報受信処理部２２ａは、配信データを受信するため大きなメモリが必要である。
【００４３】
ディスプレイユニット３ｂ〜ｆは、ディスプレイユニット３ａと同様に自ディスプレイユニット内のディスプレイモジュール宛の映像情報があれば取り出し、隣のディスプレイユニットに配信データを転送する。
【００４４】
図１３は、実施の形態１に係る映像配信装置２およびディスプレイユニット３ａ〜ｆから出力される配信データを示す模式図である。６１ａは制御情報である。６２ａ〜ｆは映像情報である。６２ａはディスプレイモジュール２６ａ宛、６２ｂはディスプレイモジュール２７ａ宛、６２ｃはディスプレイモジュール２７ｂ宛、６２ｄはディスプレイモジュール２７ｃ宛、６２ｅはディスプレイモジュール２７ｄ宛、６２ｆはディスプレイモジュール２６ｂ宛の映像情報である。配信データは、映像配信装置２からディスプレイユニット３ａ、ディスプレイユニット３ａからディスプレイユニット３ｂ、というようにして順番に隣のディスプレイユニットに転送され、ディスプレイユニット３ｆまで転送される。
【００４５】
図１４は、実施の形態１に係る調整部２４ａが映像情報６２ａの速度を調整する処理を示す模式図である。ディスプレイモジュール２６ａ宛の映像情報６２ａ〜ｂは、映像情報受信処理部２２ａが映像配信装置２から配信される配信データの一部であり、映像情報６２ａと次の制御周期のディスプレイモジュール２６ａ宛の映像情報６２ｂは連続したデータではない。ディスプレイモジュール２６ａには連続信号として入力される必要があるため、調整部２４ａは、ディスプレイモジュール２６ａ宛の映像情報を伸長して連続したデータ６３ａ〜ｂに変換する。調整部２４ａは、データ６３ａ〜ｂをディスプレイモジュールインタフェース部２５ａに出力する。
【００４６】
ディスプレイモジュールインタフェース部２５ａは、ディスプレイモジュール２６ａ宛の連続したデータ６３ａ〜ｂをディスプレイモジュール２６ａにおいて規定された映像信号に変換し、映像信号をディスプレイモジュール２６ａに出力する。ディスプレイモジュールの種類によって、例えばＲＧＢを２４ｂｉｔのバス信号の入力とするか、または高速シリアル信号の入力とするかが規定されている。また、例えば、ＶＳＹＮＣ、ＨＳＹＮＣ信号といった同期用の制御信号を映像信号に対してどの位相で入力するかが規定されている。
【００４７】
図５に複数のディスプレイモジュールにより構成されるディスプレイの一例としてディスプレイ３０を示したが、他の例を示す。
図１５は、実施の形態１に係る複数のディスプレイモジュールにより構成されるディスプレイの例を示す模式図である。（ａ）はＷＶＧＡ２個、およびＱＶＧＡ４個により構成された横長のディスプレイである。（ｂ）はＷＶＧＡ２個、およびＱＶＧＡ４個により構成された凹型のディスプレイである。ＷＶＧＡは縦に配置されている。（ｃ）はＷＶＧＡ１個、およびＱＶＧＡ８個により構成されたディスプレイである。（ｃ）のディスプレイは空間的に５個の領域に分散して配置されている。
図１５に示すように複数の種類のディスプレイモジュールを組み合わせて様々な形状のディスプレイを実現することが可能であり、設計者は、例えばディスプレイを設置する場所またはコストに応じて、最適なディスプレイモジュールを選択することができる。
【００４８】
図１６は、実施の形態１に係る複数のディスプレイモジュールにより構成されるディスプレイの接続順序を示す模式図である。図１６の（ａ）〜（ｃ）は、それぞれ図１５の（ａ）〜（ｃ）に対応している。図１６（ａ）では、ディスプレイモジュールは７１ａ、７２ａ、７２ｂ、７２ｃ、７２ｄ、７１ｂの順に接続されている。図１６（ｂ）では、ディスプレイモジュールは７３ａ、７４ａ、７４ｂ、７４ｃ、７４ｄ、７３ｂの順に接続されている。図１６（ｃ）では、ディスプレイモジュールは７５ａ、７５ｂ、７５ｃ、７５ｄ、７６ａ、７５ｅ、７５ｆ、７５ｇ、７５ｈの順に接続されている。図１６（ａ）では、７２ａと７２ｃが図中の上下に配置され、７２ｂと７２ｄが図中の上下に配置されているが、映像配信装置２から順にディスプレイモジュール接続することにより、本発明を適用することが可能である。
【００４９】
このように複数のディスプレイモジュールを組み合わせることにより、様々な形状のディスプレイを実現することが可能である。また、安価に市販されているディスプレイモジュールを用いることにより、安価に映像配信システムを実現することが可能である。
【００５０】
なお、本実施の形態において、映像配信システム１は映像配信装置２にディスプレイユニット３ａ〜ｆが１列に接続されていたが、映像配信装置２にディスプレイユニットの複数の列が接続されるようにしてもよい。
図１７は、本実施の形態１に係る映像配信システム８１の構成の一例を示すブロック図である。映像配信装置８２の構成は映像配信装置２と同じである。３列のディスプレイユニットが映像配信装置８２に接続されている。映像配信装置８２の映像情報送信処理部１４ａにディスプレイユニット８３ａ〜ｃの列が接続されている。映像情報送信処理部１４ｂにディスプレイユニット８３ｄ〜ｇの列が接続されている。映像情報送信処理部１４ｃにディスプレイユニット８３ｈ〜ｊの列が接続されている。配信処理部１３が設定部１１からディスプレイユニット８３ａ〜ｊの配置情報を取得し、配信データをどの映像情報送信処理部に出力するか決定する。ここで、各ディスプレイユニット８３ａ〜ｊの構成は、ディスプレイユニット３ａ〜ｆと同様である。
【００５１】
また、本実施の形態において、ディスプレイモジュール２６ａ〜ｂ、２７ａ〜ｄの設定情報４１の出力ライン数はユーザにより設定されると記載したが、設定部１１が算出したライン数を設定情報４１に設定するようにしてもよい。設定部１１は、設定情報４１のディスプレイモジュール２６ａ〜ｂ、２７ａ〜ｄの情報からディスプレイモジュールの向きに応じたライン数を取得する。ライン数は、ディスプレイモジュールの向きが横ならば画素数の縦ピクセル数の値であり、ディスプレイモジュールの向きが縦ならば画素数の横ピクセル数の値である。ディスプレイモジュール２６ａ〜ｂ、２７ａ〜ｄは、すべて向きが横であり、ディスプレイモジュール２６ａ〜ｂのライン数は４８０、ディスプレイモジュール２７ａ〜ｄのライン数は２４０である。設定部１１は、ディスプレイモジュール２６ａ〜ｂとディスプレイモジュール２７ａ〜ｄのライン数の比を４８０：２４０から２：１と求める。設定部１１は、ディスプレイモジュール２６ａ〜ｂの出力ライン数を２、２７ａ〜ｄの出力ライン数を１と算出し、設定情報４１に設定する。
【００５２】
また、本実施の形態において、ディスプレイコントローラ２１ａはディスプレイモジュールインタフェース部２５ａを１つ備えているが、複数のディスプレイモジュールインタフェース部を備えるようにしてもよい。さらにディスプレイモジュールインタフェース部は複数のディスプレイモジュールと接続するようにしてもよい。
【００５３】
また、本実施の形態において、ＷＶＧＡとＱＶＧＡの２種類の画面モードを用いたが、３種類以上の画面モードを用いてもよい。
図１８は、実施の形態１に係る画面モードの仕様を示すテーブル４２の模式図である。テーブル４２には、アスペクト比、画面モード、横の画素数および縦の画素数が対応付けられている。アスペクト比は、画面の横縦比を示す値である。例えば、ＷＶＧＡ、ＱＶＧＡおよびＨＤ１０８０を用いた場合、ライン数の比はＷＶＧＡ：ＱＶＧＡ：ＨＤ１０８０＝４：２：９となる。このとき分割部１２は、１制御周期につき、ＷＶＧＡの４ライン分、ＱＶＧＡの２ライン分、ＨＤ１０８０の９ライン分の映像情報を配信処理部１３に出力する。
【００５４】
また、本実施の形態において、ディスプレイユニット３ａ〜ｆへの映像情報の配信順序は、映像配信装置２に近いディスプレイユニットから順に送信するようにしたが、映像配信装置２から遠いディスプレイユニットから順に送信するようにしてもよいし、ランダムな順序で送信するようにしてもよい。
また、配信データに映像情報を多重化する順序について、配信処理部１３は、映像配信装置２に近いディスプレイモジュール宛の映像情報からではなく、逆の順序またはランダムな順序で映像情報を配信データに多重化してもよい。
【００５５】
また、本実施の形態において、分割部１２に映像情報が入力されると記載したが、分割部１２が映像情報を生成するようにしてもよい。
また、本実施の形態において、配信データはディスプレイユニット３ａ〜ｆ宛の映像情報を含むように記載したが、配信データは一部のディスプレイユニット宛の映像情報を含むようにしてもよい。
【００５６】
また、本実施の形態において、映像配信装置２とディスプレイユニット３ａ〜ｆとの間の物理層のプロトコルはイーサネット（登録商標）以外のプロトコルでもよい。物理層のプロトコルは、ＵＳＢまたは他のプロトコルでもよいし、独自のプロトコルでもよい。また、物理媒体は光ケーブル以外の媒体でもよい。物理媒体は、同軸ケーブル、または他の媒体でもよい。
【００５７】
また、本実施の形態において、映像情報受信処理部２２ａは、映像配信装置２の映像情報送信処理部１４ａから送信された送信信号を受信し、受信した信号を配信データに変換して映像情報送信処理部２３ａに出力すると記載したが、受信した信号を配信データに変換せず、そのまま映像情報送信処理部２３ａに出力してもよい。
【００５８】
したがって、本実施の形態では、映像配信装置２が複数のディスプレイモジュールそれぞれに配信する１画面分の映像情報を出力ライン数分の映像情報に分割して出力する分割部１２と、分割部１２から出力される出力ライン数分の映像情報と、出力ライン数分の映像情報の配信先であるディスプレイモジュールを示す制御情報とを複数のディスプレイモジュール分多重化した配信データを複数のディスプレイモジュールに繰り返し配信し、ディスプレイ１画面分の映像情報を配信する配信処理部と１３、を備えたので、ディスプレイモジュール２６ａ〜ｂ、２７ａ〜ｄ宛の映像情報をメモリに蓄積するディスプレイコントローラ２１ａ〜ｆが保持するメモリを低減することができる。メモリを低減することは、コストの低減になる。ディスプレイモジュール２６ａ〜ｂに映像情報を配信する場合、１画面分では８００ｐｉｘ×４８０ライン×２４ｂｉｔ＝１１５２０００ｂｙｔｅの情報量になるが、１制御周期につき２ライン配信すると８００ｐｉｘ×２ライン×２４ｂｉｔ＝４８００ｂｙｔｅの情報量になる。このように１画面分のデータを分割して配信すると、ディスプレイコントローラ２１ａ、ｆは１画面分の映像情報が配信されると１Ｍｂｙｔｅを超えるメモリを必要とするが、分割して配信されれば、小さなメモリを保持していればよい。
【００５９】
また、ディスプレイコントローラ２１ａ〜ｆが、出力ライン数分の映像情報が多重化された、複数の前記ディスプレイモジュール宛の配信データから、自装置に接続されたディスプレイモジュール宛の映像情報を取り出し、取り出した映像情報を出力する映像情報受信処理部２２ａ〜ｂと、映像情報受信処理部２２ａ〜ｂから入力されたディスプレイモジュール宛の映像情報をディスプレイモジュールに応じた速度に調整して出力する調整部２４ａ〜ｂと、調整部から入力されたディスプレイモジュール宛の映像情報をディスプレイモジュールのインタフェースに応じた信号に変換し、変換した信号をディスプレイモジュールに出力するディスプレイモジュールインタフェース部２５ａ〜ｂと、配信された配信データを映像情報受信処理部から受信し、他のディスプレイモジュールに再配信する映像情報送信処理部２３ａと、を備えたので、ディスプレイコントローラ２１ａ〜ｆが保持するメモリを低減することができる。ディスプレイコントローラ２１ａ〜ｆは、１画面分の映像情報のうち部分的な映像情報である数ライン分の映像情報を１制御周期あたりに受信して処理できるようなメモリを保持していればよい。
【００６０】
ディスプレイコントローラ２１ａ〜ｆのコストを低減できるため、映像配信システムを安価に構築することができる。例えば、ＤＶＩ（Ｄｉｇｉｔａｌ  Ｖｉｓｕａｌ  Ｉｎｔｅｒｆａｃｅ）、ＨＤＭＩ（登録商標）（Ｈｉｇｈ−Ｄｅｆｉｎｉｔｉｏｎ  Ｍｕｌｔｉｍｅｄｉａ  Ｉｎｔｅｒｆａｃｅ）といった標準的なインタフェースを有するディスプレイモジュールを利用することにより、ユーザの要求に応じたディスプレイを容易に構成することができる。
【００６１】
また、ディスプレイコントローラ２１ａ〜ｆのコストを低減できるため、ディスプレイをどのディスプレイモジュールによって構成するか、ディスプレイモジュールの選択肢が広がる。実現したいディスプレイの大きさ、解像度、形状を考慮して、ユーザは最適なディスプレイモジュールを選択することができる。
例えば
【００６２】
実施の形態２．
以上の実施の形態１では、映像配信装置がディスプレイモジュールの出力ライン数に基づいて映像情報を配信するようにしたものであるが、本実施の形態においては、映像配信装置が出力ライン数のパターンを複数組み合わせて映像情報を配信する実施の形態を示す。
なお、本実施の形態においては、実施の形態１と異なる部分について、説明する。
【００６３】
図１９は、実施の形態２に係る画面モードの仕様を示すテーブル４３の模式図である。テーブル４３には、アスペクト比、画面モード、横の画素数、縦の画素数および縦の画素数の素因数分解が対応付けられている。実施の形態１では、ＷＧＶＡとＱＶＧＡとの組み合わせであり、出力ライン数の比は２対１と小さい値の整数比になった。しかしながら、ディスプレイモジュールの組み合わせによっては小さい値の整数比が得られない場合がある。
【００６４】
図２０は、実施の形態２に係るディスプレイモジュール９１、９２を組み合わせたディスプレイの一例を示す模式図である。ディスプレイモジュール９１はＱＸＧＡ（Ｑｕａｄ  ｅＸｔｅｎｄｅｄ  Ｇｒａｐｈｉｃｓ  Ａｒｒａｙ）、ディスプレイモジュール９２はＳＸＧＡ＋（Ｓｕｐｅｒ  ｅＸｔｅｎｄｅｄ  Ｇｒａｐｈｉｃｓ  Ａｒｒａｙ  ｐｌｕｓ）である。図２０では、ディスプレイモジュール９１およびディスプレイモジュール９２は横向きに配置されている。縦の画素数はＱＸＧＡが１５３６ピクセル、ＳＸＧＡ＋が１０５０ピクセルのため、ＱＸＧＡとＳＸＧＡ＋との出力ライン数の比は２５６対１７５となる。
【００６５】
図２１は、実施の形態２に係る映像配信装置が配信する配信データを示す模式図である。６４ａ〜ｂは制御情報である。６５ａ〜ｂはディスプレイモジュール９１宛、６６ａ〜ｂはディスプレイモジュール９２宛の映像情報である。１制御周期につき、ディスプレイモジュール９１宛の映像情報６５ａ〜ｂは、２０４８ｐｉｘ×２５６ライン×２４ｂｉｔ＝１５７２８６４ｂｙｔｅの情報量になる。また、ディスプレイモジュール９２宛の映像情報６６ａ〜ｂは、１４００ｐｉｘ×１７５ライン×２４ｂｉｔ＝７３５０００ｂｙｔｅの情報量になる。出力ライン数の比の値が大きな値になると、１制御周期あたりに配信される情報量が大きくなり、配信先のディスプレイユニットの調整部２４ａ〜ｂは大きなメモリが必要となってしまう。
そこで、本実施の形態では、映像配信装置が複数の出力ライン数の比のパターンを組み合わせてディスプレイユニットに映像情報を配信する。
【００６６】
図２２は、実施の形態２に係る映像配信システム１０１の構成の一例を示すブロック図である。映像配信システム１０１は、映像配信装置１０２およびディスプレイユニット１０３ａ〜ｂを備えている。
【００６７】
図２３は、実施の形態２に係る映像配信装置１０２の機能構成の一例を示すブロック図である。映像配信装置１０２は、設定部１１１、分割部１１２、配信処理部１１３および映像情報送信処理部１１４ａ〜ｃを備えている。映像配信装置１０２の構成は、実施の形態１の映像配信装置２と同様の構成である。
【００６８】
図２４は、実施の形態２に係るディスプレイユニット１０３ａの機能構成の一例を示すブロック図である。ディスプレイユニット１０３ａは、ディスプレイコントローラ１２１ａおよびディスプレイモジュール９１を備えている。ディスプレイコントローラ１２１ａは、映像情報受信処理部１２２ａ、映像情報送信処理部１２３ａ、調整部１２４ａ、およびディスプレイモジュールインタフェース部１２５ａを備えている。ディスプレイコントローラ１２１ａの構成は、実施の形態１のディスプレイコントローラ２１ａと同様の構成である。
【００６９】
図２５は、実施の形態２に係るディスプレイユニット１０３ｂの機能構成の一例を示すブロック図である。ディスプレイユニット１０３ｂは、ディスプレイコントローラ１２１ｂおよびディスプレイモジュール９２を備えている。ディスプレイコントローラ１２１ｂは、映像情報受信処理部１２２ｂ、映像情報送信処理部１２３ｂ、調整部１２４ｂ、およびディスプレイモジュールインタフェース部１２５ｂを備えている。ディスプレイコントローラ１２１ｂの構成は、実施の形態１のディスプレイコントローラ２１ａと同様の構成である。
【００７０】
図２６は、実施の形態２に係る設定部１１１が保持するディスプレイモジュールの設定情報４４の一例を示す模式図である。ディスプレイモジュールの設定情報４４では、ディスプレイモジュール９１〜９２の識別子、モード、画面の向き、出力ライン数のパターン数、および出力ライン数のパターンが対応付けられている。出力ライン数のパターンは、パターンＡ〜Ｃの３つがある。各パターンは、出力ライン数と配信回数が対応づけられている。図２６では記載を省略したが、ディスプレイモジュールの設定情報４４には、解像度、表示色数および周波数も対応付けられている。
設定情報４４には、ＱＸＧＡとＳＸＧＡ＋の出力ライン数の比１５３６：１０５０を近似した３：２と他のライン数の比を組み合わせ、１制御周期で配信するデータ量を削減したパターンが設定されている。パターンＡの出力ライン数の比が３：２、パターンＢの出力ライン数の比が４：２、パターンＣの出力ライン数の比が３：３である。設定情報４４では、パターンＡを４７４回、パターンＢを６回、パターンＣを３０回繰り返し、制御周期５１０回で１画面分の映像情報を配信するパターンが設定されている。
【００７１】
図２７は、実施の形態２に係る分割部１１２の処理を示すフローチャートである。分割部１１２は、映像情報が入力されるとステップＳ２１より処理を開始する。
ステップＳ２１において、分割部１１２は、ディスプレイモジュール９１〜９２の設定情報を取得済みか判定する。取得済みでなければ処理はステップＳ２２に進む。取得済みであれば処理はステップＳ２４に進む。ステップＳ２１の処理は図１０のステップＳ１１の処理と同様である。
ステップＳ２２において、分割部１１２は、設定部１１１からディスプレイユニットの台数、ディスプレイモジュールの台数、ディスプレイモジュールの配置情報、およびディスプレイモジュール９１、９２の設定情報４４を取得する。ステップＳ２２の処理は図１０のステップＳ１２の処理と同様である。
【００７２】
ステップＳ２３において、分割部１１２は、設定情報４４から複数のパターンの出力ライン数および配信回数を取得する。
ステップＳ２４において、分割部１１２は、入力された映像情報から第ｎのパターンで１制御周期分の映像情報を配信先のディスプレイモジュールの識別子と対応付けて配信処理部１３に出力する。分割部１１２は、出力した回数を記憶するカウンタを保持しており、カウンタをインクリメントする。本実施の形態では、ｎは１〜３である。第１のパターンがパターンＡ、第２のパターンがパターンＢ、第３のパターンがパターンＣである。
ステップＳ２５において、分割部１１２は、第ｎのパターンの出力回数で出力済みかカウンタの値により判定する。出力済みであれば、分割部１１２はカウンタの値を０にリセットし、処理はステップＳ２６に進む。出力済みでなければ処理はステップＳ２４に進む。
【００７３】
ステップＳ２６において、分割部１１２は、すべてのパターンで映像情報を出力したか判定する。すべてのパターンで映像情報を出力していない場合、ステップＳ２４に進む。ステップＳ２４において、分割部１１２は、次のパターンで１制御周期分の映像情報を配信先のディスプレイモジュールの識別子と対応付けて配信処理部１１３に出力する。分割部１１２は、すべてのパターンでの映像情報の配信が終わるまで、ステップＳ２４〜Ｓ２６の処理を繰り返す。すべてのパターンでの映像情報を出力した場合、ステップＳ２７に進む。
ステップＳ２７において、分割部１１２は、次の画面の映像情報があるか判定する。次の画面の映像情報があれば処理はステップＳ２４に進む。次の画面の映像情報がなければ処理は終了する。
【００７４】
図２８は、実施の形態２に係る映像配信装置１０２が配信する配信データを示す模式図である。６７ａ〜ｃは制御情報である。６８ａ〜ｃはディスプレイモジュール９１宛の映像情報、６９ａ〜ｃはディスプレイモジュール９２宛の映像情報である。パターンＡ〜Ｃでは、それぞれ異なる出力ライン数の比で映像情報を配信する。パターンＡは出力ライン数の比が３：２である。映像配信装置１０２は、パターンＡで制御情報および映像情報をディスプレイユニット１０３ａ〜ｂに４７４回配信する。出力ライン数の比３：２は、ＱＸＧＡとＳＸＧＡ＋のライン数の比１５３６：１０５０を近似した値である。ディスプレイモジュール９１宛の映像情報６８ａは、１制御周期につき２０４８ｐｉｘ×３ライン×２４ｂｉｔ＝１８４３２ｂｙｔｅの情報量である。ディスプレイモジュール９２宛の映像情報６９ａは、１制御周期につき１４００ｐｉｘ×２ライン×２４ｂｉｔ＝８４００ｂｙｔｅの情報量である。
【００７５】
パターンＢは出力ライン数の比が４：２である。映像配信装置１０２は、パターンＢで制御情報および映像情報をディスプレイユニット１０３ａ〜ｂに６回配信する。ディスプレイモジュール９１宛の映像情報６８ｂは、１制御周期につき２０４８ｐｉｘ×４ライン×２４ｂｉｔ＝２４５７６ｂｙｔｅの情報量である。ディスプレイモジュール９２宛の映像情報６９ｂは、１制御周期につき１４００ｐｉｘ×２ライン×２４ｂｉｔ＝８４００ｂｙｔｅの情報量である。
【００７６】
パターンＣは出力ライン数の比が３：３である。映像配信装置１０２は、パターンＣで制御情報および映像情報をディスプレイユニット１０３ａ〜ｂに３０回配信する。ディスプレイモジュール９１宛の映像情報６８ｃは、１制御周期につき２０４８ｐｉｘ×３×２４ｂｉｔ＝１８４３２ｂｙｔｅの情報量である。ディスプレイモジュール９２宛の映像情報６９ｃは、１制御周期につき１４００ｐｉｘ×３ライン×２４ｂｉｔ＝１２６００ｂｙｔｅの情報量である。制御周期５１０回で１画面分の映像情報を配信する。
パターンＡ〜Ｃを組み合わせて映像情報を配信した場合、出力ライン数の比２５６：１７５で配信したときと比較して、調整部１２４ａ〜ｂが保持するメモリを大幅に削減できる。
【００７７】
したがって、分割部１１２は、複数のディスプレイモジュールのうちの１つのディスプレイモジュール１画面分の映像情報の途中で１つのディスプレイモジュールに対する出力ライン数の値を変更し、変更した出力ライン数分の映像情報を出力するので、複数のディスプレイモジュールのライン数の整数比が小さい値にならない場合でも、１制御周期あたりに各ディスプレイユニットに配信する映像情報のデータ量を低減することができる。ディスプレイを構成する複数のディスプレイモジュールがどのような仕様のディスプレイモジュールであっても適切なパターンを設定すれば、１制御周期あたりに各ディスプレイユニットに配信する映像情報のデータ量を低減することができる。よって、ディスプレイコントローラ１２１ａ〜ｂが保持するメモリを低減することができる。
【００７８】
実施の形態３．
以上の実施の形態１では、ディスプレイモジュールの出力ライン数に基づいて映像情報を配信するようにしたものであるが、本実施の形態においては、ライン数と周波数とに基づいて配信する実施の形態を示す。
実施の形態１では、ディスプレイモジュール２６ａ〜ｂとディスプレイモジュール２７ａ〜ｄの周波数は６０Ｈｚと同じであった。本実施の形態では、ディスプレイモジュール２６ａ〜ｂの周波数が３０Ｈｚ、ディスプレイモジュール２７ａ〜ｄの周波数が６０Ｈｚと、周波数が異なる場合について説明する。
なお、本実施の形態においては、実施の形態１と異なる部分について、説明する。
【００７９】
図２９は、実施の形態３に係る設定部１１が保持するディスプレイモジュールの設定情報４５の一例を示す模式図である。設定情報４５と設定情報４１との違いは、ディスプレイモジュール２６ａ〜ｂの出力ライン数が１となっていることである。
ディスプレイモジュール２６ａ〜ｂのライン数は４８０、ディスプレイモジュール２７ａ〜ｄのライン数は２４０である。ＷＶＧＡとＱＶＧＡのライン数の比は４８０：２４０＝２：１である。ディスプレイモジュール２６ａ〜ｂの周波数３０Ｈｚは、ディスプレイモジュール２７ａ〜ｄの周波数６０Ｈｚの１／２である。ライン数の比と周波数に基づき、ディスプレイモジュール２６ａ〜ｂの出力ライン数は２×１／２＝１より１が設定されている。出力ライン数は、あらかじめユーザによって設定される。
【００８０】
なお、本実施の形態において、各ディスプレイモジュールの出力ライン数は設定情報４５にあらかじめ設定されると記載したが、設定部１１がライン数および周波数に基づいて算出し、設定情報４５に設定するようにしてもよい。
【００８１】
したがって、分割部１２は、複数のディスプレイモジュールそれぞれが有するラインの数の比とリフレッシュレートを示す周波数の比とに応じて、各ディスプレイモジュール１画面分の映像情報を出力ライン数分の映像情報に分割するので、周波数の違いも考慮して１制御周期あたりに各ディスプレイユニットに配信する映像情報のデータ量を低減することができる。よって、ディスプレイコントローラ２１ａ〜ｆが保持するメモリを低減することができる。
また、分割部１２は、複数のディスプレイモジュールそれぞれが有するラインの数の比と画素の表示色数の比とに応じて、各ディスプレイモジュール１画面分の映像情報を出力ライン数分の映像情報に分割するので、表示色数の違いも考慮して１制御周期あたりに各ディスプレイユニットに配信する映像情報のデータ量を低減することができる。よって、ディスプレイコントローラ２１ａ〜ｆが保持するメモリを低減することができる。
【００８２】
実施の形態４．
以上の実施の形態１では、設定部１１があらかじめ設定情報を保持するようにしたものであるが、本実施の形態においては、ディスプレイユニットから設定情報を収集する実施の形態を示す。
なお、本実施の形態においては、実施の形態１と異なる部分について、説明する。
【００８３】
図３０は、実施の形態４に係る映像配信システム１３１の構成の一例を示すブロック図である。映像配信システム１３１は、映像配信装置１３２およびディスプレイユニット１３３ａ〜ｂを備えている。映像配信装置１３２は、ディスプレイユニット１３３ａ〜ｃに映像情報を配信する。
【００８４】
図３１は、実施の形態４に係る映像配信装置１３２の機能構成の一例を示すブロック図である。映像配信装置１３２は、設定部１４１、分割部１４２、配信処理部１４３、映像情報送信処理部１４４ａ〜ｃおよび設定情報受信処理部１４５ａ〜ｃを備えている。映像配信装置１３２の構成は、実施の形態１の映像配信装置２に設定情報受信処理部１４５ａ〜ｃを付加した構成である。
映像配信装置１３２は、ディスプレイユニットと接続する物理的なコネクタの数に応じて３個の映像情報送信処理部１４４ａ〜ｃと３個の設定情報受信処理部１４５ａ〜ｃを備えている。しかしながら、図３０の映像配信システム１３１に示したようにディスプレイユニット１３３ａ〜ｃは１列に接続されており、ディスプレイユニット１３３ａが映像情報送信処理部１４４ａと設定情報受信処理部１４５ａに接続している。映像情報送信処理部１４４ｂ〜ｃおよび設定情報受信処理部１４５ｂ〜ｃは接続するディスプレイユニットがないため、処理を行わない。
【００８５】
設定情報受信処理部１４５ａは、ディスプレイユニット１３３ａ〜ｃから設定情報を受信し、設定部１４１にディスプレイモジュールの設定情報を出力する。設定部１４１は、設定情報受信処理部１４５ａ〜ｃより入力されたディスプレイモジュールの設定情報を保持し、分割部１４２からの要求に応じて保持しているディスプレイモジュールの設定情報を出力する。
【００８６】
映像配信装置１３２のハードウェア構成は、実施の形態１の映像配信装置２のハードウェア構成と同じである。メモリ３１は、設定情報受信処理部１４５ａ〜ｃを実現するためのプログラム及びデータを記憶する。プロセッサ３２は、メモリ３１に記憶されたプログラム及びデータを読み出し、設定情報受信処理部１４５ａ〜ｃの各機能を実現する。複数の処理回路が連携して、設定情報受信処理部１４５ａ〜ｃの機能を実行するように構成してもよい。
【００８７】
図３２は、実施の形態４に係るディスプレイユニット１３３ａの機能構成の一例を示すブロック図である。ディスプレイユニット１３３ａは、ディスプレイコントローラ１５１ａおよびディスプレイモジュール２６ａを備えている。ディスプレイコントローラ１５１ａは、映像情報受信処理部１５２ａ、映像情報送信処理部１５３ａ、調整部１５４ａ、ディスプレイモジュールインタフェース部１５５ａ、設定情報送信処理部１５６ａおよび設定情報受信処理部１５７ａを備えている。ディスプレイコントローラ１５１ａの構成は、実施の形態１のディスプレイコントローラ２１ａに設定情報送信処理部１５６ａおよび設定情報受信処理部１５７ａを付加した構成である。
【００８８】
図３３は、実施の形態４に係るディスプレイユニット１３３ｂの機能構成の一例を示すブロック図である。ディスプレイユニット１３３ｂは、ディスプレイコントローラ１５１ｂおよびディスプレイモジュール２７ａを備えている。ディスプレイコントローラ１５１ｂは、映像情報受信処理部１５２ｂ、映像情報送信処理部１５３ｂ、調整部１５４ｂ、ディスプレイモジュールインタフェース部１５５ｂ、設定情報送信処理部１５６ｂおよび設定情報受信処理部１５７ｂを備えている。ディスプレイコントローラ１５１ｂの構成は、ディスプレイコントローラ１５１ａと同様の構成である。
【００８９】
ディスプレイユニット１３３ｃはディスプレイコントローラ１５１ｃおよびディスプレイモジュール２７ｂを備えている。ディスプレイユニット１３３ｃのディスプレイコントローラはディスプレイコントローラ１５１ｂと同様の構成であるため、図示は省略する。ディスプレイコントローラ１５１ｃは、映像情報受信処理部１５２ｃ、映像情報送信処理部１５３ｃ、調整部１５４ｃ、ディスプレイモジュールインタフェース部１５５ｃ、設定情報送信処理部１５６ｃおよび設定情報受信処理部１５７ｃを備えている。
【００９０】
ディスプレイユニット１３３ａのディスプレイコントローラ１５１ａのハードウェア構成は、実施の形態１のディスプレイコントローラ２１ａのハードウェア構成と同じである。メモリ３４は、設定情報送信処理部１５６ａおよび設定情報受信処理部１５７ａを実現するためのプログラム及びデータを記憶する。プロセッサ３５は、メモリ３４に記憶されたプログラム及びデータを読み出し、設定情報送信処理部１５６ａおよび設定情報受信処理部１５７ａの各機能を実現する。複数の処理回路が連携して、設定情報送信処理部１５６ａおよび設定情報受信処理部１５７ａの機能を実行するように構成してもよい。
ディスプレイユニット１３３ｂ〜ｃのハードウェア構成は、ディスプレイユニット１３３ａと同様である。
【００９１】
次に、映像配信装置１３２にディスプレイユニット１３３ａ〜ｂが接続されている状態のときに、ディスプレイユニット１３３ｂにディスプレイユニット１３３ｃが追加で接続された場合の動作について説明する。このとき、映像配信装置１３２の設定部１４１は、ディスプレイモジュール２６ａ、２７ａの設定情報を保持している。
【００９２】
映像配信装置１３２にディスプレイユニット１３３ａ〜ｂが接続されている状態では、映像配信装置１３２の設定部１４１はディスプレイモジュール２６ａ、２７ａの設定情報を保持している。設定情報は、ディスプレイモジュール２６ａ、２７ａの識別子、モード、向き、解像度、表示色数および周波数である。ディスプレイユニット１３３ａの設定情報送信処理部１５６ａは、あらかじめディスプレイモジュール２６ａの設定情報を保持している。設定情報には、ディスプレイモジュール２６ａの識別子、モード、向き、解像度、表示色数および周波数が含まれる。また、ディスプレイユニット１３３ｂの設定情報送信処理部１５６ｂは、あらかじめディスプレイモジュール２７ａの設定情報を保持している。また、ディスプレイユニット１３３ｃの設定情報送信処理部１５６ｃは、あらかじめディスプレイモジュール２７ｂの設定情報を保持している。
【００９３】
ディスプレイユニット１３３ｃがディスプレイユニット１３３ｂに接続されると、ディスプレイユニット１３３ｃの設定情報送信処理部１５６ｃは保持しているディスプレイモジュール２７ｂの設定情報をディスプレイユニット１３３ｂに出力する。このとき、設定情報送信処理部１５６ｃは、映像情報送信処理部１５３ｃと同様に信号処理を行って設定情報を送信信号に変換し、送信信号をディスプレイユニット１３３ｂに出力する。
【００９４】
ディスプレイユニット１３３ｂの設定情報受信処理部１５７ｂは、映像情報受信処理部１５２ｂと同様に信号処理を行って送信信号を設定情報に変換し、ディスプレイモジュール２７ｂの設定情報を受信する。設定情報受信処理部１５７ｂは、ディスプレイユニット１３３ｃから受信したディスプレイモジュール２７ｂの設定情報を設定情報送信処理部１５６ｂに出力する。設定情報送信処理部１５６ｂは、ディスプレイモジュール２７ｂの設定情報を信号処理して送信信号に変換し、送信信号をディスプレイユニット１３３ａに出力する。ディスプレイユニット１３３ａは、受信したディスプレイモジュール２７ｂの設定情報を映像配信装置１３２に出力する。ディスプレイユニット１３３ａの動作は、ディスプレイユニット１３３ｂと同じため、説明を省略する。
【００９５】
映像配信装置１３２の設定情報受信処理部１４５ａは、ディスプレイユニット１３３ａからの送信信号を信号処理して設定情報に変換し、ディスプレイモジュール２７ｂの設定情報を受信する。設定情報受信処理部１４５ａは、ディスプレイモジュール２７ｂの設定情報を設定部１４１に出力する。設定部１４１は、ディスプレイモジュール２７ｂの設定情報を追加で保持する。設定部１４１は、設定情報が追加されると、ディスプレイモジュール２６ａとディスプレイモジュール２７ａ〜ｂの出力ライン数を算出する。
【００９６】
なお、本実施の形態において、設定部１４１は、設定情報の出力ライン数を算出すると記載したが、設定情報に基づき、ユーザが出力ライン数を設定するようにしてもよい。また、実施の形態２に示したようにユーザは出力ライン数の組み合わせを複数パターン設定するようにしてもよい。
【００９７】
また、本実施の形態の映像配信装置１３２において、映像情報送信処理部１４４ａと設定情報受信処理部１４５ａはともにディスプレイユニット１３３ａに接続されるが、物理的に異なるケーブルで接続されてもよいし、１つのケーブルで接続されてもよい。
【００９８】
したがって、ディスプレイモジュールが有するラインの数を含む設定情報を受信する設定情報受信処理部１４５ａを備え、設定部１４１は、設定情報受信処理部１４５ａが受信した設定情報に基づいて設定された複数のディスプレイモジュールそれぞれの出力ライン数の値を保持するので、ディスプレイモジュールの構成が変更された場合にユーザを介さずにディスプレイモジュールの設定情報を収集することができる。
【符号の説明】
【００９９】
１、８１、１０１、１３１  映像配信システム
２、８２、１０２、１３２  映像配信装置
３ａ〜ｆ、１０３ａ〜ｂ、１３３ａ〜ｃ  ディスプレイユニット
１１、１１１、１４１  設定部
１２、１１２、１４２  分割部
１３、１１３、１４３  配信処理部
１４ａ〜ｃ、１１４ａ〜ｃ、１４４ａ〜ｃ  映像情報送信処理部
２１ａ〜ｂ、１２１ａ〜ｂ、１５１ａ〜ｃ  ディスプレイコントローラ
２２ａ〜ｂ、１２２ａ〜ｂ、１５２ａ〜ｃ  映像情報受信処理部
２３ａ〜ｂ、１２３ａ〜ｂ、１５３ａ〜ｃ  映像情報送信処理部
２４ａ〜ｂ、１２４ａ〜ｂ、１５４ａ〜ｃ  調整部
２５ａ〜ｂ、１２５ａ〜ｂ、１５５ａ〜ｃ  ディスプレイモジュールインタフェース部
２６ａ〜ｂ、２７ａ〜ｄ、７１ａ〜ｂ、７２ａ〜ｄ、７３ａ〜ｂ、７４ａ〜ｄ、７５ａ〜ｈ、７６ａ、８３ａ〜ｊ、９１〜９２  ディスプレイモジュール
３０  ディスプレイ
３１、３４  メモリ
３２、３５  プロセッサ
３３、３６  通信インタフェース
３７  パネル
３８  駆動回路
４１、４４、４５  設定情報
４２、４３  テーブル
５１ａ〜ｂ、５２ａ〜ｄ  キュー
６１ａ、６４ａ〜ｂ、６７ａ〜ｃ  制御情報
６２ａ〜ｆ、６５ａ〜ｂ、６６ａ〜ｂ、６８ａ〜ｃ、６９ａ〜ｃ  映像情報
６３ａ  データ
１４５ａ〜ｃ、１５７ａ〜ｃ  設定情報受信処理部
１５６ａ〜ｃ  設定情報送信処理部
【図１】
2017119095.tif 000003
【図２】
2017119095.tif 000004
【図３】
2017119095.tif 000005
【図４】
2017119095.tif 000006
【図５】
2017119095.tif 000007
【図６】
2017119095.tif 000008
【図７】
2017119095.tif 000009
【図８】
2017119095.tif 000010
【図９】
2017119095.tif 000011
【図１０】
2017119095.tif 000012
【図１１】
2017119095.tif 000013
【図１２】
2017119095.tif 000014
【図１３】
2017119095.tif 000015
【図１４】
2017119095.tif 000016
【図１５】
2017119095.tif 000017
【図１６】
2017119095.tif 000018
【図１７】
2017119095.tif 000019
【図１８】
2017119095.tif 000020
【図１９】
2017119095.tif 000021
【図２０】
2017119095.tif 000022
【図２１】
2017119095.tif 000023
【図２２】
2017119095.tif 000024
【図２３】
2017119095.tif 000025
【図２４】
2017119095.tif 000026
【図２５】
2017119095.tif 000027
【図２６】
2017119095.tif 000028
【図２７】
2017119095.tif 000029
【図２８】
2017119095.tif 000030
【図２９】
2017119095.tif 000031
【図３０】
2017119095.tif 000032
【図３１】
2017119095.tif 000033
【図３２】
2017119095.tif 000034
【図３３】
2017119095.tif 000035
【手続補正書】
【提出日】平成28年6月22日(2016.6.22)
【手続補正１】
【補正対象書類名】特許請求の範囲
【補正対象項目名】全文
【補正方法】変更
【補正の内容】
【特許請求の範囲】
【請求項１】
ディスプレイを構成する複数のディスプレイモジュールそれぞれに配信する１画面分の映像情報を前記ディスプレイモジュールの１行の画素を示すラインのＮ倍（Ｎは１以上の整数）である出力ライン数分の映像情報に分割し、前記複数のディスプレイモジュールそれぞれについて前記出力ライン数分の映像情報を出力する分割部と、
前記分割部から出力される前記出力ライン数分の映像情報と、前記出力ライン数分の映像情報の配信先である前記ディスプレイモジュールを示す制御情報とを前記複数のディスプレイモジュール分多重化した配信データを前記複数のディスプレイモジュールに繰り返し配信し、前記ディスプレイ１画面分の映像情報を配信する配信処理部と、
を備えることを特徴とする映像配信装置。
【請求項２】
前記分割部は、前記複数のディスプレイモジュールそれぞれが有する前記ラインの数の比に応じて、各ディスプレイモジュール１画面分の映像情報を前記出力ライン数分の映像情報に分割することを特徴とする請求項１に記載の映像配信装置。
【請求項３】
前記分割部は、前記複数のディスプレイモジュールそれぞれが有する前記ラインの数の比とリフレッシュレートを示す周波数の比とに応じて、各ディスプレイモジュール１画面分の映像情報を前記出力ライン数分の映像情報に分割することを特徴とする請求項２に記載の映像配信装置。
【請求項４】
前記分割部は、前記複数のディスプレイモジュールそれぞれが有する前記ラインの数の比と画素の表示色数の比とに応じて、各ディスプレイモジュール１画面分の映像情報を前記出力ライン数分の映像情報に分割することを特徴とする請求項２または３に記載の映像配信装置。
【請求項５】
前記出力ライン数の値を前記複数のディスプレイモジュールそれぞれについて算出し、前記複数のディスプレイモジュールそれぞれの前記出力ライン数の値を保持する設定部を備え、
前記分割部は、前記設定部が保持する前記複数のディスプレイモジュールそれぞれの前記出力ライン数の値に基づいて１画面分の映像情報を分割することを特徴とする請求項２から４のいずれか一項に記載の映像配信装置。
【請求項６】
前記分割部は、前記複数のディスプレイモジュールのうちの１つのディスプレイモジュール１画面分の映像情報の途中で前記１つのディスプレイモジュールに対する前記出力ライン数の値を変更し、変更後の前記出力ライン数分の映像情報を出力することを特徴とする請求項１から５のいずれか一項に記載の映像配信装置。
【請求項７】
前記設定部は、前記出力ライン数の値の組み合わせと前記組み合わせで配信する配信回数とを対応付けたパターンを複数保持し、
前記分割部は、前記複数のディスプレイモジュールそれぞれについて、前記設定部が保持する複数の前記パターンに基づいて前記出力ライン数分の映像情報を出力し、
前記配信処理部は、複数の前記パターンそれぞれについて、前記パターンに対応付けられた前記複数のディスプレイモジュールそれぞれの前記出力ライン数分の映像情報を多重化した前記配信データの配信を前記パターンに対応付けられた前記配信回数の分行うことを特徴とする請求項５に記載の映像配信装置。
【請求項８】
前記ディスプレイモジュールが有する前記ラインの数を含む設定情報を受信する設定情報受信処理部を備え、
前記設定部は、前記設定情報受信処理部が受信した前記設定情報に基づいて設定された前記複数のディスプレイモジュールそれぞれの前記出力ライン数の値を保持することを特徴とする請求項５または７のいずれか一項に記載の映像配信装置。
【請求項９】
ディスプレイを構成する複数のディスプレイモジュールそれぞれに配信する１画面分の映像情報を前記ディスプレイモジュールの１行の画素を示すラインのＮ倍（Ｎは１以上の整数）である出力ライン数分の映像情報に分割するステップと、
前記複数のディスプレイモジュールそれぞれについて前記出力ライン数分の映像情報を出力するステップと、
前記出力ライン数分の映像情報と、前記出力ライン数分の映像情報の配信先である前記ディスプレイモジュールを示す制御情報とを前記複数のディスプレイモジュール分多重化した配信データを前記複数のディスプレイモジュールに繰り返し配信し、前記ディスプレイ１画面分の映像情報を配信するステップと、
を有する映像配信方法。
【請求項１０】
ディスプレイを構成するディスプレイモジュールの１行の画素を示すラインのＮ倍（Ｎは１以上）の映像情報であって前記ディスプレイモジュールの１画面分の映像情報のうち部分的な映像情報が多重化された、複数の前記ディスプレイモジュール宛の配信データから、自装置に接続された前記ディスプレイモジュール宛の映像情報を取り出し、取り出した前記映像情報を出力する映像情報受信処理部と、
前記映像情報受信処理部から入力された前記ディスプレイモジュール宛の映像情報を前記ディスプレイモジュールに応じた速度に調整して出力する調整部と、
前記調整部から入力された前記ディスプレイモジュール宛の映像情報を前記ディスプレイモジュールのインタフェースに応じた信号に変換し、変換した信号を前記ディスプレイモジュールに出力するディスプレイモジュールインタフェース部と、
前記配信データを前記映像情報受信処理部から受信し、他のディスプレイモジュールに再配信する映像情報送信処理部と、
を備えることを特徴とするディスプレイコントローラ。
【請求項１１】
前記ディスプレイモジュールが有する前記ラインの数を含む設定情報を保持し、前記設定情報を前記映像情報の配信元である映像配信装置宛に送信する設定情報送信処理部を備えることを特徴とする請求項１０に記載のディスプレイコントローラ。
【請求項１２】
他の前記ディスプレイモジュールから受信した前記他のディスプレイモジュールの前記設定情報を出力する設定情報受信処理部を備え、
前記設定情報送信処理部は、前記設定情報受信処理部から入力された前記他のディスプレイモジュールの前記設定情報を前記映像配信装置宛に転送することを特徴とする請求項１１に記載のディスプレイコントローラ。
【請求項１３】
ディスプレイを構成するディスプレイモジュールの１行の画素を示すラインのＮ倍（Ｎは１以上整数）の映像情報であって前記ディスプレイモジュールの１画面分の映像情報のうち部分的な映像情報が多重化された、複数の前記ディスプレイモジュール宛の配信データから、前記ディスプレイモジュール宛の映像情報を取り出すステップと、
取り出した前記映像情報を出力するステップと、
前記ディスプレイモジュール宛の映像情報を前記ディスプレイモジュールに応じた速度に調整して出力するステップと、
前記ディスプレイモジュール宛の映像情報を前記ディスプレイモジュールのインタフェースに応じた信号に変換し、変換した信号を前記ディスプレイモジュールに出力するステップと、
前記配信データを他のディスプレイモジュールに再配信するステップと、
を有する映像配信方法。
【請求項１４】
ディスプレイを構成する複数のディスプレイモジュールそれぞれに配信する１画面分の映像情報を前記ディスプレイモジュールの１行の画素を示すラインのＮ倍（Ｎは１以上の整数）である出力ライン数分の映像情報に分割し、前記複数のディスプレイモジュールそれぞれについて前記出力ライン数分の映像情報を出力する分割部と、
前記分割部から出力される前記出力ライン数分の映像情報と、前記出力ライン数分の映像情報の配信先である前記ディスプレイモジュールを示す制御情報とを前記複数のディスプレイモジュール分多重化した配信データを前記複数のディスプレイモジュールに繰り返し配信し、前記ディスプレイ１画面分の映像情報を配信する配信処理部と、
を備える映像配信装置と、
前記配信データから、自装置に接続された前記ディスプレイモジュール宛の映像情報を取り出し、取り出した前記映像情報を出力する映像情報受信処理部と、
前記映像情報受信処理部から入力された前記自装置に接続されたディスプレイモジュール宛の映像情報を前記自装置に接続されたディスプレイモジュールに応じた速度に調整して出力する調整部と、
前記調整部から入力された前記自装置に接続されたディスプレイモジュール宛の映像情報を前記自装置に接続されたディスプレイモジュールのインタフェースに応じた信号に変換し、変換した信号を前記自装置に接続されたディスプレイモジュールに出力するディスプレイモジュールインタフェース部と、
前記配信データを前記映像情報受信処理部から受信し、他のディスプレイモジュールに再配信する映像情報送信処理部と、
を備えるディスプレイコントローラと、
を備えることを特徴とする映像配信システム。
【手続補正２】
【補正対象書類名】明細書
【補正対象項目名】００１２
【補正方法】変更
【補正の内容】
【００１２】
ディスプレイを構成するディスプレイモジュールの１行の画素を示すラインのＮ倍（Ｎは１以上の整数）の映像情報であってディスプレイモジュールの１画面分の映像情報のうち部分的な映像情報が多重化された、複数のディスプレイモジュール宛の配信データから、自装置に接続されたディスプレイモジュール宛の映像情報を取り出し、取り出した映像情報を出力する映像情報受信処理部と、映像情報受信処理部から入力されたディスプレイモジュール宛の映像情報をディスプレイモジュールに応じた速度に調整して出力する調整部と、調整部から入力されたディスプレイモジュール宛の映像情報をディスプレイモジュールのインタフェースに応じた信号に変換し、変換した信号をディスプレイモジュールに出力するディスプレイモジュールインタフェース部と、配信データを映像情報受信処理部から受信し、他のディスプレイモジュールに再配信する映像情報送信処理部と、を備えた。
【手続補正３】
【補正対象書類名】明細書
【補正対象項目名】００１３
【補正方法】変更
【補正の内容】
【００１３】
ディスプレイを構成するディスプレイモジュールの１行の画素を示すラインのＮ倍（Ｎは１以上の整数）の映像情報であってディスプレイモジュールの１画面分の映像情報のうち部分的な映像情報が多重化された、複数のディスプレイモジュール宛の配信データから、ディスプレイモジュール宛の映像情報を取り出すステップと、取り出した映像情報を出力するステップと、ディスプレイモジュール宛の映像情報をディスプレイモジュールに応じた速度に調整して出力するステップと、ディスプレイモジュール宛の映像情報をディスプレイモジュールのインタフェースに応じた信号に変換し、変換した信号をディスプレイモジュールに出力するステップと、配信データを他のディスプレイモジュールに再配信するステップと、を有する。
【国際調査報告】
2017119095.tif 000036
2017119095.tif 000037
2017119095.tif 000038
2017119095.tif 000039